(57)【要約】【課題】  栓部材が締め付けられすぎて外れなくなってしまうようなことを防ぐ。【解決手段】  中芯４０を収納可能な略筒状の中芯収納部材１０と、中芯収納部材１０の少なくとも一端側の開口部に螺合接続された栓部材３０とを具備し、栓部材３０を緩めて中芯収納部材１０から外せるようにした筆記具用中芯収納体において、中芯収納部材１０と栓部材３０とのうち、その一方に、凹部１２ｄを設けるとともに、他方には、前記螺合接続をした際に凹部１２ｄに嵌り合う突起３５を設け、凹部１２ｄと突起３５との双方には、前記螺合接続をした際に、前記中芯収納部材の中心軸方向に当接し合う当接面１２ｄ１１，３５ａ１が設けられ、凹部１２ｄと突起３５とのうちの少なくとも一方は、これら凹部１２ｄと突起３５の嵌め合い深さを、栓部材３０の緩み回転方向に段階的に浅くする形状である。【選択図】  図１３
2015016624.tif 000002
【特許請求の範囲】
【請求項１】
中芯を収納可能な略筒状の中芯収納部材と、該中芯収納部材の少なくとも一端側の開口部に螺合接続された栓部材とを具備し、前記栓部材を緩めて前記中芯収納部材から外せるようにした筆記具用中芯収納体において、
前記中芯収納部材と前記栓部材とのうち、その一方に、凹部を設けるとともに、他方には、前記螺合接続をした際に前記凹部に嵌り合う突起を設け、
前記凹部と前記突起との双方には、前記螺合接続をした際に、前記中芯収納部材の中心軸方向に当接し合う当接面が設けられ、
前記凹部と前記突起とのうちの少なくとも一方は、これら凹部と突起の嵌め合い深さを、前記栓部材の緩み回転方向に段階的に浅くする形状であることを特徴とする筆記具用中芯収納体。
【請求項２】
前記凹部と前記突起とのうちの少なくとも一方には、前記栓部材を緩める際に、その緩み回転方向にて他方を乗越えさせる傾斜面が形成されていることを特徴とする請求項１記載の筆記具用中芯収納体。
【請求項３】
前記凹部は、第一の凹部と、該第一の凹部の周方向に連続するとともに該第一の凹部よりも浅い第二の凹部とを具備してなり、
前記突起は、前記螺合接続をした際に、前記第一の凹部に嵌り合う第一の突起と、該第一の突起の周方向に連続するとともに前記第二の凹部に嵌り合う第二の突起とを具備してなることを特徴とする請求項１又は２記載の筆記具用中芯収納体。
【請求項４】
第二の凹部及び第二の突起を、第一の凹部及び第一の突起の緩み回転方向側に配置するとともに、第二の突起の突端側に、前記緩み回転方向にて第二の凹部の縁を乗越えるように周方向にわたる傾斜面を形成したことを特徴とする請求項３記載の筆記具用中芯収納体。
【請求項５】
前記螺合接続をした際に、所定のねじ込み量を超える前に、前記当接面同士が当接し合うようにしたことを特徴とする請求項１乃至４何れか１項記載の筆記具若しくは筆記具用中芯収納体。
【請求項６】
前記中芯収納部材を筆記具の軸筒とし、この軸筒内に、交換可能に中芯を収納することで、中芯交換式筆記具を構成したことを特徴とする請求項１乃至５何れか１項記載の筆記具用中芯収納体。
【発明の詳細な説明】
【技術分野】
【０００１】
本発明は、内蔵する中芯（中綿）を栓部材の着脱によって交換可能にした中芯交換式筆記具や、有底筒状の筒体内に中芯を内蔵しその開口部を栓部材によって閉鎖した交換用中芯セット等、筆記具用の中芯を取り外し可能に収納した筆記具用中芯収納体に関するものである。
【背景技術】
【０００２】
従来、この種の発明には、例えば、特許文献１に記載のもののように、軸筒（１）と、軸筒（１）の前端側に装着されて前方へ露出した筆記体（ペン体３，４）と、軸筒（１）の後端部に螺合接続された略筒状の栓部材（後軸筒２０）と、軸筒（１）内から前記栓部材（後軸筒２０）内にわたって収容された長尺柱状の中芯（中綿２）と、を備え、前記中芯（中綿２）に含浸されたインクを前記筆記体（３，４）へ導くようにしたものがある。
この従来技術によれば、軸筒（１）内の前記中芯（中綿２）のインクを消費し切ってしまった際には、前記栓部材（後軸筒２０）を外して前記中芯（中綿２）を取り外し、この中芯（中綿２）を、カートリッジケース（７）に収容された新しい中芯（中綿２’）と交換することが可能である。
【０００３】
しかしながら、上記従来技術では、軸筒（１）に対し、栓部材（後軸筒２０）がきつく螺合接続されてしまい、該栓部材（後軸筒２０）を容易に緩められなくなってしまうおそれがある。そこで、仮に、組立時に栓部材（後軸筒２０）の締付けトルクを弱めにした場合には、運搬中等に栓部材（後軸筒２０）が外れたり、軸筒（１）と栓部材（後軸筒２０）の間に隙間が生じてインク洩れの要因となったりするおそれがある。
なお、本願発明とは、技術分野及び解決課題が異なるが、螺着部の緩みを防止する発明として、特許文献２に記載のものがある。
【先行技術文献】
【特許文献】
【０００４】
【特許文献１】特許第４５２２５５９号公報
【特許文献２】実開昭５３−１１５２７４号公報
【発明の概要】
【発明が解決しようとする課題】
【０００５】
本発明は上記従来事情に鑑みてなされたものであり、その課題とする処は、栓部材を十分に締め付けることができる上、該栓部材が締め付けられすぎて外れなくなってしまうようなことを防ぐことができる筆記具用中芯収納体を提供することにある。
【課題を解決するための手段】
【０００６】
上記課題を解決するための一手段は、中芯を収納可能な略筒状の中芯収納部材と、該中芯収納部材の少なくとも一端側の開口部に螺合接続された栓部材とを具備し、前記栓部材を緩めて前記中芯収納部材から外せるようにした筆記具用中芯収納体において、前記中芯収納部材と前記栓部材とのうち、その一方に、凹部を設けるとともに、他方には、前記螺合接続をした際に前記凹部に嵌り合う突起を設け、前記凹部と前記突起との双方には、前記螺合接続をした際に、前記中芯収納部材の中心軸方向に当接し合う当接面が設けられ、前記凹部と前記突起とのうちの少なくとも一方は、これら凹部と突起の嵌め合い深さを、前記栓部材の緩み回転方向に段階的に浅くする形状であることを特徴とする。
【発明の効果】
【０００７】
本発明は、以上説明したように構成されているので、栓部材を十分に締め付けることができる上、該栓部材が締め付けられすぎて外れなくなってしまうようなことを防ぐことができる。
【図面の簡単な説明】
【０００８】
【図１】本発明に係る筆記具用中芯収納体である中芯交換式筆記具の一例を示す斜視図である。
【図２】同中芯交換式筆記具の断面図である。
【図３】中芯収納部材である軸筒の一例を示す断面図である。
【図４】同軸筒の後端側拡大斜視図である。
【図５】栓部材の一例を示す斜視図である。
【図６】同栓部材の側面図である。
【図７】同栓部材を後から視た図である。
【図８】同栓部材を前から視た図である。
【図９】図８の(IX)‐(IX)線断面図である。
【図１０】図８の(X)‐(X)線断面図である。
【図１１】キャップ内に装着される挿入阻止部の一例を示す斜視図である。
【図１２】同中芯交換式筆記具において、栓部材及び中芯を外した状態を示す全断面図である。
【図１３】凹部と突起の嵌合関係の一例を示す断面図である。
【図１４】交換用中芯セットの一例を示す側面図である。
【図１５】同交換用中芯セットを前方から視た図である。
【図１６】図１５の(XVI)‐(XVI)線断面図である。
【図１７】凹部と突起の嵌合関係の他例を示す断面図である。
【発明を実施するための形態】
【０００９】
本実施の形態の筆記具用中芯収納体の第一の特徴は、中芯を収納可能な略筒状の中芯収納部材と、該中芯収納部材の少なくとも一端側の開口部に螺合接続された栓部材とを具備し、前記栓部材を緩めて前記中芯収納部材から外せるようにした筆記具用中芯収納体において、前記中芯収納部材と前記栓部材とのうち、その一方に、凹部を設けるとともに、他方には、前記螺合接続をした際に前記凹部に嵌り合う突起を設け、前記凹部と前記突起との双方には、前記螺合接続をした際に、前記中芯収納部材の中心軸方向に当接し合う当接面が設けられ、前記凹部と前記突起とのうちの少なくとも一方は、これら凹部と突起の嵌め合い深さを、前記栓部材の緩み回転方向に段階的に浅くする形状である（図１３参照）。
ここで、前記「中芯」には、筒状に収束された合成繊維にインクを含浸させた中綿や、液タンク内にインクを収容した中芯、ボールペン用中芯、シャープペンシル用中芯等を含む。
また、前記「中芯収納部材」には、中芯を収納するようにした筆記具の軸筒や、交換用中芯セットにおける中芯を収納するためのケース等を含む。
また、前記「栓部材」には、筆記体を具備しない有底筒状の尾栓や、筆記体を貫通し装着した筒状の先口等を含む。
また、前記「筆記具用中芯収納体」には、軸筒内に取り外し可能に中芯を収納した筆記具や、有底筒状のケース内に交換用の中芯（カートリッジ）を収納した交換用中芯セット等を含む。
前記構成によれば、中芯収納部材の一端側の開口部に栓部材を螺合接続した際、凹部側の当接面と突起側の当接面とが締付け回転により当接し合って位置決めされ、栓部材が過剰に締め込まれるようなことを防止する。
また、栓部材を緩める際に、その回転抵抗を段階的に小さくすることができ、単一の凹凸による嵌り合いとした場合と比較して、栓部材を緩める作業を容易にすることができる。
よって、栓部材を十分に締め付けることができる上、該栓部材が締め付けられすぎて外れなくなってしまうようなことを防ぐことができる。
【００１０】
第二の特徴としては、前記凹部と前記突起とのうちの少なくとも一方には、前記栓部材を緩める際に、その緩み回転方向にて他方を乗越えさせる傾斜面が形成されている（図１３参照）。
前記構成によれば、中芯収納部材から栓部材を外す際には、栓部材を緩み回転方向へ回転させれば、凹部と突起とのうちの一方の傾斜面が他方を乗越えるようにして、その緩み回転がスムーズに行われる。
【００１１】
第三の特徴としては、前記凹部は、第一の凹部と、該第一の凹部の周方向に連続するとともに該第一の凹部よりも浅い第二の凹部とを具備してなり、前記突起は、前記螺合接続をした際に、前記第一の凹部に嵌り合う第一の突起と、該第一の突起の周方向に連続するとともに前記第二の凹部に嵌り合う第二の突起とを具備してなる（図１３参照）。
この構成によれば、栓部材の緩める際の作業を、より良好に行うことができる。
【００１２】
第四の特徴としては、第二の凹部及び第二の突起を、第一の凹部及び第一の突起の緩み回転方向側に配置するとともに、第二の突起の突端側に、前記緩み回転方向にて第二の凹部の縁を乗越えるように周方向にわたる傾斜面を形成した（図１３参照）。
この構成によれば、栓部材を緩める際に、第二の突起の突端側の前記傾斜面が、第二の凹部の緩み回転方向側の縁を徐々に乗り越える。よって、栓部材を緩める際の抵抗をより軽減して、栓部材の緩める作業を、いっそう良好に行うことができる。
【００１３】
第五の特徴としては、前記螺合接続をした際に、所定のねじ込み量を超える前に、前記当接面同士が当接し合うようにした（図１３参照）。
この構成によれば、中芯収納部材に対し栓部材を螺合接続する際、所定のねじ込み量を超える前に、前記当接面同士が当接し合うため、栓部材の締付けすぎを効果的に防ぐことができる。
【００１４】
また、第六の特徴としては、前記中芯収納部材を筆記具の軸筒とし、この軸筒内に、交換可能に中芯を収納することで、中芯交換式筆記具を構成した（図２参照）。
この構成によれば、栓部材の着脱による中芯交換が容易な中芯交換式筆記具を提供することができる。
【００１５】
なお、後述する実施例では、上記特徴の一部を含まずに、以下の構成要件のみを必須とした発明も開示している。
すなわち、この発明は、中芯を収納可能な略筒状の中芯収納部材と、該中芯収納部材の少なくとも一端側の開口部に螺合接続された栓部材とを具備し、前記栓部材を緩めて前記中芯収納部材から外せるようにした筆記具用中芯収納体において、前記中芯収納部材と前記栓部材とのうち、その一方に、凹部を設けるとともに、他方には、前記螺合接続をした際に前記凹部に嵌り合う突起を設け、前記凹部と前記突起との双方には、前記螺合接続をした際に、前記中芯収納部材の中心軸方向に当接し合う当接面が設けられ、前記凹部と前記突起とのうちの少なくとも一方には、前記栓部材を緩める際に、その緩み回転方向にて他方を乗越えさせる傾斜面が形成されている。
この構成によれば、中芯収納部材の一端側の開口部に栓部材を螺合接続した際、凹部側の当接面と突起側の当接面とが締付け回転により当接し合って位置決めされ、栓部材が過剰に締め込まれるようなことを防止する。
また、中芯収納部材から栓部材を外す際には、栓部材を緩み回転方向へ回転させれば、凹部と突起とのうちの一方の傾斜面が他方を乗越えるようにして、その緩み回転がスムーズに行われる。
よって、栓部材を十分に締め付けることができる上、該栓部材が締め付けられすぎて外れなくなってしまうようなことを防ぐことができる。
【００１６】
また、後述する実施例では、上記特徴を具備しない独立した発明としての中芯交換機構も開示している。
すなわち、この発明は、中芯交換式筆記具と交換用中芯セットとの組み合わせからなる中芯交換機構であって、前記中芯交換式筆記具は、軸筒内に着脱可能に中芯を具備するとともにその一端側の開口部に栓部材を螺合してなり、前記交換用中芯セットは、開閉可能な開口部を有する中芯収納部材と、前記中芯収納部材の開口部に着脱可能に装着された栓部材と、前記中芯収納部材の内部に収納された交換用の中芯とを具備してなり、前記栓部材の軸方向の端面に被係合部を設けるとともに、前記中芯収納部材又は前記栓部材の外面には、前記被係合部に係合して該栓部材を回転操作可能な係合部を設け、前記被係合部と前記係合部とのうち、その一方を平板突起状に形成するとともに、他方を前記一方に係脱可能な凹溝状に形成した（図１４〜図１６参照）。
この発明によれば、前記係合部と前記被係合部とを嵌め合せて、中芯交換式筆記具の栓部材、又は交換用中芯セットの栓部材を緩めたり締めたりすることができ、その際の係脱性や作業性が良好である。
【実施例】
【００１７】
次に、上記特徴を有する好ましい実施例を、図面に基づいて詳細に説明する。
なお、以下の説明中、軸筒軸方向とは、中芯収納部材１０（軸筒）の中心線の延びる方向を意味する。また、「前」とは、軸筒軸方向の一方側であって筆記体の突出する方向を意味する。また、「後」とは、軸筒軸方向の前記一方側に対する逆方向側を意味する。また、「軸筒径方向」とは、軸筒軸方向に対し直交する方向を意味する。また、「軸筒径外方向」とは、軸筒径方向に沿って軸筒中心から離れる方向を意味する。「軸筒径内方向」とは、軸筒径方向に沿って軸筒中心へ近づく方向を意味する。また、「緩み回転方向」とは、栓部材３０を外すために回転させる方向を意味する。また、「締付け回転方向」とは、同栓部材３０を接続するために回転させる方向を意味する。
【００１８】
この筆記具用中芯収納体１は、図１及び図２に示すように、中芯収納部材１０（軸筒）と、中芯収納部材１０の前端側に装着されて前方へ露出した筆記体２０と、中芯収納部材１０の後端部に着脱可能に装着された略有底筒状の栓部材３０と、中芯収納部材１０内から栓部材３０内にわたって収容された長尺円柱状の中芯４０と、筆記体２０を覆うようにして中芯収納部材１０の前端側に着脱可能に装着されたキャップ５０とを備え、中芯４０に含浸されたインクを筆記体２０へ導く中芯交換式筆記具を構成している。
【００１９】
中芯収納部材１０は、前端側の先細状の先口部１１と、該先口部１１の後方に延設された長尺円筒形の筒状本体部１２とからなり、中芯交換式筆記具の軸筒を構成している（図３参照）。
【００２０】
先口部１１の前端側の内周面には、周方向に間隔を置いて複数の縦突条１１ａが設けられる。これら縦突条１１ａは、軸筒径内方向の突端により筆記体２０の外周面を保持している（図２参照）。また、周方向に隣り合う縦突条１１ａ，１１ａ間の空間を、中芯収納部材１０内外の通気性を確保する通気路としている。
【００２１】
また、先口部１１内における縦突条１１ａよりも後側には、中芯４０の前端を受けるように、受片部１１ｂが周方向に間隔を置いて複数設けられる。
これら受片部１１ｂは、先口部１１の後半部寄りの内周面から径内方向へ突出する突片状の部材であり、筆記体２０の外周面に近接している。すなわち、各受片部１１ｂと筆記体２０の外周面との間には、隙間が設けられる。
そして、周方向に隣り合う受片部１１ｂ，１１ｂの間の空間は、落下衝撃等で中芯４０内のインクが急激に吐出した場合に、該インクを一時的に貯溜するインク貯溜部１１ｃとして機能する。
【００２２】
筒状本体部１２内の先口部１１寄りには、中芯４０を軸心方向へ押圧して保持する縦長の中芯嵌合突起１２ａが、周方向に複数配置されている（図２及び図３参照）。
各中芯嵌合突起１２ａは、軸方向へ長尺な平板状に形成され、その前端部を受片部１１ｂ後端に接続している。この中芯嵌合突起１２ａの後端側には、中芯４０をスムーズに前方へ導くように、凸曲面状の面取り部１２ａ１（図３参照）が形成される。なお、面取り部１２ａ１の他例としては、傾斜する平坦面状に形成することも可能である。
【００２３】
また、筒状本体部１２内の後端寄りには、栓部材３０を螺合接続するための雌ネジ部１２ｂや、該雌ネジ部１２ｂよりも前側で栓部材３０に圧接されて中芯収納部材１０後端側を密閉する環状凸部１２ｃ、雌ネジ部１２ｂよりも後側で後述する栓部材３０の突起に嵌り合う凹部１２ｄ等が設けられる（図３参照）。
【００２４】
筒状本体部１２後端側の凹部１２ｄは、図４及び図１３に示すように、第一の凹部１２ｄ１と、該第一の凹部１２ｄ１の周方向に連続する第二の凹部１２ｄ２とを具備し、栓部材３０側の突起３５との嵌め合い深さを、栓部材３０の緩み回転方向（図１３によれば上方向）に段階的に浅くする階段状に形成される。
【００２５】
第一の凹部１２ｄ１は、周方向に長尺な凹部であり、栓部材３０の締付け回転方向側の端面を、栓部材３０を螺合接続した際に、栓部材３０側の当接面３５ａ１に対し、軸筒軸方向に当接し合う平坦面状の当接面１２ｄ１１としている（図１３参照）。
また、第一の凹部１２ｄ１の底部１２ｄ１２（図１３によれば左端面）は、中芯収納部材１０の軸心に略直交する平坦面状に形成され、傾斜面１２ｄ１３を介して、第二の凹部１２ｄ２の底部１２ｄ２１に接続されている。
傾斜面１２ｄ１３は、栓部材３０を緩める際に、栓部材３０を乗越えさせるように、軸筒後方へ傾いた緩み回転方向（図１３によれば斜め右上方向）へわたる平坦面状に形成される。
【００２６】
第一の凹部１２ｄ１内の前端側の当接面１２ｄ１１は、軸筒軸方向に略平行する平坦面状に形成される。この当接面１２ｄ１１は、栓部材３０を中芯収納部材１０に対し螺合接続した際に、所定のねじ込み量を超える前に、栓部材３０側の当接面３５ａ１に当接するように、その位置が設定されている。
ここで、前記所定のねじ込み量は、中芯収納部材１０と栓部材３０との間に目視可能な隙間がなく、これらの間の気密性が維持され、且つ中芯交換等のために栓部材３０を緩めることが可能な程度に適宜に設定される。
【００２７】
第二の凹部１２ｄ２は、第一の凹部１２ｄ１よりも浅く形成されるとともに周方向に長尺な凹部であり、その底部１２ｄ２１（図１３によれば左端面）を、中芯収納部材１０の軸心に略直交する平坦面状に形成している。
この第二の凹部１２ｄ２において、栓部材３０の緩み方向側の端部には、傾斜面１２ｄ２２が形成される。この傾斜面１２ｄ２２は、栓部材３０を緩める際に、栓部材３０を乗越えさせるように、軸筒後方へ傾いた緩み回転方向（図１３によれば斜め右上方向）へわたる平坦面状に形成される。
【００２８】
また、筆記体２０は、その後端部が中芯４０の前端部に圧入され（図２参照）、中芯４０に含浸されたインクを毛細管力によって前方へ導く構成であればよく、例えば、多孔質樹脂からなる略軸状、あるいは多数の合成繊維を収束してなる略軸状に形成される。
なお、この筆記体２０は、図２に示す一例によれば、筆記体２０前端側の露出部分を砲弾状に形成しているが、他例としては、斜めカットされた楔状等とすることも可能である。
【００２９】
また、栓部材３０は、中芯収納部材１０の後端開口部に着脱可能に装着される有底筒状の部材である。この栓部材３０外周面の前側には、中芯収納部材１０内における後端側の雌ネジ部１２ｂに螺合可能な雄ネジ部３１が形成され、該雄ネジ部３１の後側には、中芯収納部材１０後端面に当接される環状のフランジ部３２が形成される。このフランジ部３２周囲には、当該中芯式筆記具の転がり防止や、栓部材３０を外す際の滑り止めとして機能する凸部３２ａが、周方向に間隔を置いて複数設けられる。
【００３０】
また、フランジ部３２の前端面には、中芯収納部材１０に栓部材３０を螺合接続した際に、中芯収納部材１０後端の凹部１２ｄに嵌り合う突起３５が設けられる。
この突起３５は、図１３に示すように、中芯収納部材１０側の第一の凹部１２ｄ１に嵌り合う第一の突起３５ａと、該第一の突起３５ａの周方向に連続するとともに中芯収納部材１０側の第二の凹部１２ｄ２に嵌り合う第二の突起３５ｂとを具備し、中芯収納部材１０側の凹部１２ｄとの嵌め合い深さを、栓部材３０の緩み回転方向（図１３によれば上方向）に段階的に浅くするように形成される。
【００３１】
第一の突起３５ａは、周方向に長尺な凸部であり、その締付け回転方向側の端面を、栓部材３０の螺合接続の際に、中芯収納部材１０側の当接面１２ｄ１１に当接し合う平坦面状の当接面３５ａ１としている。また、第一の突起３５ａの突端部３５ａ２（図１３によれば左端面）は、中芯収納部材１０の軸心に略直交する平坦面状に形成される。
そして、第一の突起３５ａの突端部３５ａ２は、傾斜面３５ａ３を介して、第二の突起３５ｂの傾斜面状の突端部３５ｂ１に接続されている。
また、傾斜面３５ａ３は、栓部材３０の緩み回転方向において突端部３５ｂ１よりも急な角度で斜め後方へわたる平坦面状に形成される。
【００３２】
第二の突起３５ｂは、第一の突起３５ａよりも、フランジ部３２全端面からの前方への突出寸法が小さい傾斜面状の突起である。詳細に説明すれば、第二の突起３５ｂの突端部３５ｂ１は、栓部材３０の緩み回転方向において斜め後方へ連続する緩やかな傾斜平坦面状に形成される。
【００３３】
また、栓部材３０内周面の前側には、中芯４０の外周面に接触して該中芯４０を保持する中芯保持突起３３（図８〜図１０参照）が複数設けられ、栓部材３０内周面における中芯保持突起３３よりも奥側には、中芯４０の後端面を受ける受片部３４が複数設けられる。
【００３４】
各中芯保持突起３３は、その径内方向の突端面を、中芯４０の外周面にならう曲面状又は平坦面状（図８に示す好ましい一例によれば、曲面状）に形成するとともに、中芯４０に接触する前記突端面の接触面積を、栓部材３０に対し中芯４０が挿入される方向（以降、中芯挿入方向と称する）へ増大する平面視略Ｖ字状に形成しており（図１０参照）、この形状により、中芯押圧に起因するインクの流出等を抑制するとともに、中芯組付け時や中芯交換時の作業性を向上する。
【００３５】
また、中芯保持突起３３の前端側には、挿入される中芯４０を抵抗なくスムーズに導き入れるように、凸曲面状の面取り部３３ａが設けられる。
そして、この中芯保持突起３３は、軸筒周方向に所定間隔を置いて複数設けられ、これら複数の中芯保持突起３３の突端内径ａ（詳細には、図９に示すように、面取り部３３ａよりも後側の部分の内径）は、中芯４０の外径よりも若干小さい径に設定される。
前記内径ａは、より詳細に説明すれば、僅かずつではあるが、栓部材３０内奥側（図９によれば右側）へ向かって徐々に小さくなっている。すなわち、各中芯保持突起３３の径内方向の高さが、前記奥側へ向かって徐々に高くなっている。
【００３６】
また、図示例によれば、前記内径ａは、中芯収納部材１０側の複数の中芯嵌合突起１２ａにおける径内方向突端の内径よりも、若干小さく設定されている。
すなわち、栓部材３０側の中芯保持突起３３による中芯４０に対する保持力は、中芯収納部材１０側の同中芯４０に対する保持力よりも大きくなっている。
【００３７】
また、受片部３４は、中芯保持突起３３の奥側で、中芯保持突起３３後端から後方へ延びるとともに中芯保持突起３３よりも径内方向側へ突出するように設けられる。この受片部３４は、複数の中芯保持突起３３と同間隔にて、周方向に所定間隔を置いて複数設けられる。
そして、複数の受片部３４の前端部は、中芯４０の後端面を受ける。また、周方向に、隣り合う受片部３４，３４の間の空間ｓは、中芯４０内のインクの消耗に伴って該中芯４０内へ空気を供給する通気路として機能し、さらに、落下衝撃等で中芯４０内のインクが急激に後方へ流出した場合には、該インクを一時的に貯溜するインク貯溜部としても機能する。
【００３８】
なお、前記通気路は、詳細に説明すれば、中芯収納部材１０前端側の縦突条１１ａ，１１ａ間、受片部１１ｂ，１１ｂ間、中芯嵌合突起１２ａ，１２ａ間、筒状本体部１２内周面と中芯４０外周面との隙間、栓部材３０内周面と中芯４０外周面との隙間、栓部材３０内の受片部３４，３４間の空間ｓ等からなる連続する通路である。また、前記通気路は、前述したように中芯４０の後端面に連通しているが、同中芯４０の前端面にも連通している。
【００３９】
また、栓部材３０の後端面には、該栓部材３０を着脱する際に必要に応じて用いられる被係合部３６が設けられる。この被係合部３６は、後方向きに開口するとともに径方向へ長尺な凹溝状に形成され、コインや、後述する交換用中芯セット２の係合部６１と嵌め合い可能である。
【００４０】
中芯４０は、多数の合成繊維を合成樹脂製の薄肉な筒体内に収納し、その内部にインクを含浸させることで構成されている。この中芯４０は、中綿と呼称される場合もある。
【００４１】
また、キャップ５０は、図２に示すように、二重筒状のキャップ本体部５１と、該キャップ本体部５１における内キャップ５１ａと外キャップ５１ｂの間への筆記体２０の挿入を阻む略円錐状の挿入阻止部５２とから一体的に構成され、先口部１１に、着脱可能に嵌め合せられている。
【００４２】
キャップ本体部５１は、筆記体２０の周囲を覆うようにして設けられた小径筒状の内キャップ５１ａと、内キャップ５１ａに対しその外周側に間隔を置いて設けられた外キャップ５１ｂとを有する二重筒状に一体成形されている（図２参照）。
内キャップ５１ａは、先口部１１前端側の小径な筒状部分よりも一回り程大きい筒状に形成され、その後端側の内周面を、先口部１１の前端側外周面に密接してインク洩れを防ぐ。
【００４３】
外キャップ５１ｂは、有底筒状に形成され、その周壁には、外方からの押圧操作により自由端側をキャップ内へ弾性的に撓み変形可能な変形部５１ｂ１が設けられる。
変形部５１ｂ１の外表面は、外キャップ５１ｂ外周面における最大径部分と略面一、又は前記最大径部分よりも凹んで設けられる。換言すれば、変形部５１ｂ１は、外キャップ５１ｂ外周面における前記最大径部分よりも径外方向へ突出しないように設けられる。
【００４４】
変形部５１ｂ１は、キャップ本体部５１の周壁に、該周壁をキャップ径方向に貫通する平面視略Ｕ字状の切欠部５１ｂ２を設けることで、この切欠部５１ｂ２の内側に形成された方持ち梁状の部分であり（図１及び図２参照）、その基端側に対する逆端側（図２によれば右端側）の自由端部を、軸筒後方（図示の右方）へ向けている。
切欠部５１ｂ２及び変形部５１ｂ１は、図示例によれば、軸心を挟んで対向するように二つ設けられる（図２参照）。
【００４５】
各変形部５１ｂ１は、キャップ内側へ変形した際に、自由端側（図２によれば右端側）の内縁によって先口部１１の傾斜面１１ｄを押圧する。
なお、図１中、符号５１ｂ１１は、変形部５１ｂ１の自由端側の表面に位置するすべり止め突起である。
【００４６】
また、キャップ本体部５１内周面の開口端側（図２によれば右端側）には、キャップ５０が中芯収納部材１０（軸筒）に嵌め合わせられる際、中芯収納部材１０側の環状突起１１ｅを軸方向へ乗り越えるように、乗越え突起５１ｉが設けられる。この乗越え突起５１ｉは、緩やか傾斜面を有する断面山形の突起であり、キャップ周方向に間隔を置いて複数設けられている。
【００４７】
また、キャップ本体部５１内周面には、キャップ軸方向へわたる縦リブ５１ｊが、周方向へ略等間隔を置いて複数設けられる。これら複数の縦リブ５１ｊは、キャップ５０内周面と中芯収納部材１０外周面との当接力を、周方向に略均等に分散することで、キャップ５０内周面と中芯収納部材１０外周面とを安定した接触状態に保持する。
【００４８】
また、挿入阻止部５２は、図１１に示すように、内キャップ５１ａに接続される接続部５２ａと、該接続部５２ａから延設されたガイド部５２ｂとを具備する。
【００４９】
接続部５２ａは、内キャップ５１ａの外周面に沿う略円筒状に形成され、その内周面を、内キャップ５１ａ外周部に圧接させることで、軸筒軸方向及び周方向へ移動しないように固定される（図２及び図１１参照）。
【００５０】
また、ガイド部５２ｂは、筆記体２０を内キャップ５１ａ内へ案内するように前方へ縮径する略円錐筒状に形成される。
このガイド部５２ｂの自由端部は、図示例によれば、変形部５１ｂ１の内面に対し、接触又は近接（図２の一例によれば接触）している。そして、このガイド部５２ｂには、該ガイド部５２ｂを周方向に分割するようにして、筆記体２０を挿通不能な幅のスリット５２ｂ１が、周方向に間隔を置いて複数設けられる。これらスリット５２ｂ１は、変形部５１ｂ１の径内方向への変形に伴う、ガイド部５２ｂの径内方向への弾性変形を容易にする。
【００５１】
次に、上記構成の筆記具用中芯収納体１（中芯交換式筆記具）について、その特徴的な作用効果を詳細に説明する。
当該筆記具用中芯収納体１の製造や中芯４０の交換等のために、中芯収納部材１０の後端側の開口部に栓部材３０を接続する際には、中芯収納部材１０の後端に栓部材３０を挿入し回転させて締付ける。この締付けの際、所定のねじ込み量に達すると、中芯収納部材１０側の凹部１２ｄの当接面１２ｄ１１（図１３参照）と、栓部材３０側の突起３５の当接面３５ａ１とが、当接し合って位置決めされ、栓部材３０が過剰に締め込まれて外れ難くなるようなことを防止する。
【００５２】
また、中芯収納部材１０から栓部材３０を外す際には、栓部材３０を緩み回転方向へ回転させれば、図１３に示すように、栓部材３０側の第二の突起３５ｂにおける傾斜面状の突端部３５ｂ１が、中芯収納部材１０側の第二の凹部１２ｄ２の緩み回転方向側の縁に、徐々に乗り上がって、栓部材３０側の第二の突起３５ｂが中芯収納部材１０側の第二の凹部１２ｄ２から抜け出てゆく。
そして、栓部材３０側の傾斜面３５ａ３が、中芯収納部材１０側の傾斜面１２ｄ１３に摺接して、栓部材３０側の第一の突起３５ａが、中芯収納部材１０側の第一の凹部１２ｄ１から抜け出てゆく。さらに、第一の突起３５ａは、中芯収納部材１０側の第二の凹部１２ｄ２底面に沿って進み、傾斜面１２ｄ２２に摺接して、凹部１２ｄから抜け出てゆく。
このように、中芯収納部材１０側の凹部１２ｄに対し、栓部材３０側の突起３５が、段階的に抜け出るようにして、栓部材３０の緩み回転が進行するため、回転抵抗が比較的小さく、その回転がスムーズに行われる。そして、図１２に示すように、中芯収納部材１０から栓部材３０を外した状態では、栓部材３０内に嵌り合った中芯４０も一緒に外すことができる。
【００５３】
よって、栓部材３０を、意図しない緩みやインク洩れを生じないように十分に締め付けることができる上、該栓部材３０が締め付けられすぎて外れなくなってしまうようなことを防ぐことができ、ひいては、栓部材３０を緩める際の操作感を良好にして、中芯４０の交換作業を速やか且つ容易に行うことができる。
【００５４】
なお、栓部材３０の着脱は、該栓部材３０を手で回す操作によって可能であるが、必要に応じて、栓部材３０後端の被係合部３６に、コインや後述する交換用中芯セット２の係合部６１を差し込み、このコイン又は交換用中芯セット２の回転操作によって栓部材３０を回して着脱することも可能である。
【００５５】
また、他の特徴的な作用効果として、中芯収納部材１０からキャップ５０を外す際には、変形部５１ｂ１が、指によって摘まれて押圧されると、変形部５１ｂ１が径内方向へ撓む。この際、変形部５１ｂ１の前記撓みに伴って、挿入阻止部５２のガイド部５２ｂも、径内方向へ撓む。ガイド部５２ｂは、後端部を変形部５１ｂ１内面に摺接させるとともに、各スリット５２ｂ１を狭めながら、滑らか且つスムーズに弾性変形する。
【００５６】
そして、撓んだ変形部５１ｂ１は、自由端部の内縁を、中芯収納部材１０先端側の傾斜面１１ｄに摺接させることで、中芯収納部材１０を後方へ押動する。そのため、外キャップ５１ｂ内周面の乗越え突起５１ｉ（図２参照）と中芯収納部材１０外周面の環状突起１１ｅとの乗越え嵌合状態が解除されて、キャップ５０が中芯収納部材１０から前方へ外れる。
【００５７】
よって、上記構成の筆記具用中芯収納体１（中芯交換式筆記具）によれば、不使用時にキャップ５０が、机面等に当接して外れてしまうのを防ぐことができる上、使用時には、比較的軽い摘み操作でキャップ５０を外すことができる。
【００５８】
次に、上記筆記具用中芯収納体１（中芯交換式筆記具）との組み合わせによって中芯交換機構を構成する交換用中芯セット２（図１４〜１６参照）について説明する。
【００５９】
この交換用中芯セット２は、図１６に示すように、開閉可能な開口部を有する中芯収納部材６０と、中芯収納部材６０の開口部に着脱可能に装着された栓部材７０と、中芯収納部材６０の内部に収納された交換用の中芯４０’とを具備してなる。
【００６０】
中芯収納部材６０は、交換用の中芯４０’の一端側部分を収納可能な有底筒状の部材であり（図１６参照）、その底壁の外面に、筆記具用中芯収納体１（中芯交換式筆記具）の被係合部３６に嵌脱可能な係合部６１を有する。また、中芯収納部材６０の開口部側の内周面には、着脱される栓部材７０を乗越え嵌合させるための突起６２が形成される。
【００６１】
係合部６１は、中芯収納部材６０の端面から軸方向へ突出する平板突起状に形成される。この係合部６１は、筆記具用中芯収納体１の凹溝状の被係合部３６の内面と略同形状であって、該被係合部３６に嵌脱可能に形成される。
【００６２】
栓部材７０は、交換用の中芯４０’の他端側部分を収納可能な有底筒状の部材であり、中芯４０’の他端側を装着した状態で、中芯収納部材６０の開口部に挿入され嵌め合せられる。
この栓部材７０の開口部側（図１６によれば左側）の外周面には、中芯収納部材６０内面の突起６２に対し乗越え嵌合する突起７１や、該突起７１よりも前記開口部側にて中芯収納部材６０内周面に接触して中芯収納部材６０内の気密性を保持する環状突起７２等が設けられる。
また、この栓部材７０の内周面には、軸方向へわたる突条７３が、周方向に間隔を置いて複数設けられる。これら突条７３は、中芯４０’の外周面に緩圧接されている。
【００６３】
なお、図１４〜図１６中、符号６３及び７４は、中芯収納部材６０から栓部材７０を外す際に滑り止めとなる複数の凹部である。
【００６４】
よって、上記構成の交換用中芯セット２によれば、中芯収納部材６０から栓部材７０を外せば、栓部材７０に保持された状態で中芯４０’も中芯収納部材６０から引き抜くことができる。
また、上述したように、中芯収納部材１０側の栓部材３０後端の被係合部３６に、交換用中芯セット２の係合部６１を嵌め合せ、交換用中芯セット２の回転操作によって栓部材３０を回して着脱することも可能である。この際の作業は、交換用中芯セット２をドライバーのように手で握り指先で回転させることができるため、その作業性が良好である。
【００６５】
なお、上記実施例によれば、中芯収納部材１０（中芯式筆記具）側の凹部１２ｄに、栓部材３０側の突起３５を嵌め合せるようにしたが、他例としては、図１７に例示するように、その凹凸関係を逆にすることも可能である。
図１７に示す他例では、中芯収納部材１０側（図中左側）に、上記実施例のものと同構成の突起３５を有し、中芯収納部材１０側に、上記実施例のものと同構成の凹部１２ｄを有する。そして、上記実施例と略同様に作用して、栓部材３０を外れやインク洩れを生じないように十分に締め付けることができる上、該栓部材３０が締め付けられすぎて外れなくなってしまうようなことを防ぐことができる。
【００６６】
また、上記実施例によれば、傾斜面１２ｄ１３，１２ｄ２２，３５ａ３及び第二の突起３５ｂ突端の傾斜面を、平坦面状の傾斜面としたが、他例としては、凸断面曲面状や断面凹曲面状の傾斜面とすることも可能である。
【００６７】
また、上記実施例によれば、凹部１２ｄと突起３５を、それぞれ、二段の第一及び第二の凹部１２ｄ１，１２ｄ２と、二段の第一及び第二の突起３５ａ、３５ｂによって構成したが、他例としては、これら凹部１２ｄと突起３５を、それぞれ三段以上の階段状に構成とすることも可能である。
【００６８】
また、上記実施例によれば、凹部１２ｄ及び突起３５を周方向において一箇所に設けたが、他例としては、これら凹部１２ｄ及び突起３５を、周方向に間隔を置いて複数設けることも可能である。
【００６９】
また、上記実施例によれば、中芯４０を複数の合成繊維からなる中綿としたが、中芯４０の他例としては、中空状の液タンク内にインクを収納した態様や、ボールペン用の中芯を構成した態様、シャープペンシル用の中芯を構成した態様等とすることも可能である。
【００７０】
また、上記実施例によれば、筆記具用中芯収納体１（中芯交換式筆記具）側に凹状の被係合部３６を設けるとともに交換用中芯セット２側に凸状の係合部６１を設けたが、他例としては、その凹凸関係を逆にすることも可能である。
【００７１】
また、上記実施例によれば、交換用中芯セット２における中芯収納部材６０の底壁外面に係合部６１を設けたが、他例としては、交換用中芯セット２における栓部材７０の底壁外面に同様の係合部を設けた態様や、中芯収納部材６０と栓部材７０の双方に同様の係合部を設けた態様等とすることも可能である。
【００７２】
また、上記実施例によれば、中芯収納部材（軸筒）１０と栓部材３０との間に、上記凹部１２ｄ及び上記突起３５を構成したが、他例としては、軸筒と、該軸筒に対し螺合接続可能な前記栓部材としての先口とを具備した筆記具において、前記軸筒と前記先口との間に、上記凹部１２ｄ及び上記突起３５と略同構成の凹部及び突起（図示せず）を設けることも可能である。
【００７３】
また、上記実施例によれば、上記凹部１２ｄ及び上記突起３５を、栓部材３０のフランジ部３２と中芯収納部材１０後端との間に設けたが、他例としては、略同構成の凹部及び突起を、栓部材３０における雄ネジ部３１よりも前側と中芯収納部材１０との間や、その他の部位に設けることも可能である。
【００７４】
また、上記実施例によれば、中芯収納部材１０の後端側に栓部材３０を挿入する構成としたが、他例としては、中芯収納部材１０の後端側に栓部材３０を環状に被せるとともに、中芯収納部材１０の後端面と栓部材３０内の底面との間に、上記構成の凹部１２ｄ及び突起３５を設けた構成とすることも可能である。
【００７５】
また、上記実施例の交換用中芯セット２では、栓部材７０を外す可能性が筆記具用中芯収納体１（中芯交換式筆記具）の場合よりも少ないこと等から、上記構成の凹部１２ｄ及び突起３５を設けないようにしたが、他例としては、この交換用中芯セット２についても、中芯収納部材６０と栓部材７０の間に上記構成の凹部１２ｄ及び突起３５を設けて、栓部材７０を着脱を容易にすることも可能である。
【符号の説明】
【００７６】
１：筆記具用中芯収納体（中芯交換式筆記具）
２：交換用中芯セット
１０：中芯収納部材（軸筒）
２０：筆記体
１２ｄ：凹部
１２ｄ１１，３５ａ１：当接面
１２ｄ１３，１２ｄ２２，３５ａ３：傾斜面
３０：栓部材
３５：突起
３５ａ：第一の突起
３５ｂ：第二の突起
３５ｂ１：突端部（傾斜面）
４０，４０’：中芯
５０：キャップ
【図１】
2015016624.tif 000003
【図２】
2015016624.tif 000004
【図３】
2015016624.tif 000005
【図４】
2015016624.tif 000006
【図５】
2015016624.tif 000007
【図６】
2015016624.tif 000008
【図７】
2015016624.tif 000009
【図８】
2015016624.tif 000010
【図９】
2015016624.tif 000011
【図１０】
2015016624.tif 000012
【図１１】
2015016624.tif 000013
【図１２】
2015016624.tif 000014
【図１３】
2015016624.tif 000015
【図１４】
2015016624.tif 000016
【図１５】
2015016624.tif 000017
【図１６】
2015016624.tif 000018
【図１７】
2015016624.tif 000019